(57)【要約】【課題】多段に積み重ねた棚の正面を垂直にしたり、正面を傾斜させることができるように、段毎に奥行きピッチを変えられる機能を有する組立式棚の提供。【解決手段】複数の支柱取付凹部１２Ａ，１２Ｂを表裏に有する棚板１１と、該支柱取付部に端部を接合して着脱可能に取り付けられる複数の支柱１３とからなり、棚板に支柱の一端部を接合し、支柱の他端部に次の棚板を接合して１段または多段に積み重ねて構成され、棚板は、奥行き方向の２つの支柱取付凹部の間隔を表裏で同じとし、奥行き方向の中心線に対してそれらを非対称配列とし、且つ表裏の支柱取付凹部が棚板を裏返した時に同一となるよう配置したことを特徴とする組立式棚１０。【選択図】　図１
2004081439.tif 000002
【特許請求の範囲】
【請求項１】
複数の支柱取付部を表裏に有する棚板と、該支柱取付部に端部を接合して着脱可能に取り付けられる複数の支柱とからなり、該棚板に該支柱の一端部を接合し、該支柱の他端部に次の棚板を接合して１段または多段に積み重ねて構成された組立式棚であって、
前記棚板は、奥行き方向の２つの支柱取付部の間隔を表裏で同じとし、奥行き方向の中心線に対してそれらを非対称配列とし、且つ表裏の該支柱取付部が該棚板を裏返した時に同一となるよう配置したことを特徴とする組立式棚。
【請求項２】
前記棚板の表裏四隅に、前記支柱取付部として、棚板奥行き方向端からの形成位置が異なる第１の支柱取付凹部と第２の支柱取付凹部とが、該棚板の表側の四隅のうち手前側の２つが第１の支柱取付凹部となり、奥側の２つが第２の支柱取付凹部となり、該第１の支柱取付凹部の裏側が第２の支柱取付凹部および第２の支柱取付凹部の裏側が第１の支柱取付凹部となるように設けられ、前記支柱の両端に、該第１，第２の支柱取付凹部に嵌入される連結凸部が設けられ、該第１の支柱取付凹部と第２の支柱取付凹部との相対位置が、複数の棚板を手前上側に第１の支柱取付凹部と第２の支柱取付凹部とが交互に並ぶように該支柱を介して多段に積み重ねた際にその高さ方向が垂直となり、複数の棚板を手前上側に第１の支柱取付凹部が並ぶように該支柱を介して多段に積み重ねた際に、その高さ方向が傾斜するように配置された請求項１記載の組立式棚。
【請求項３】
上下の棚板間の空間に引出が挿入された請求項１または２記載の組立式棚。
【請求項４】
最下の棚板下面に複数のキャスターが取り付けられた請求項１〜３のいずれかに記載の組立式棚。
【発明の詳細な説明】
【０００１】
【発明の属する技術分野】
本発明は、部品点数が少なく、組み立てが容易で安価に提供できる組立式棚に関し、更に詳細には、多段に積み重ねた際に、高さ方向を垂直にして陳列する形態と、高さ方向を傾斜させて陳列する形態とを変更可能な組立式棚に関する。
【０００２】
【従来の技術】
従来、組立式棚に類するものとして、次の従来技術が提案されている。
実開平５−８６２４４号公報には、棚板部と、それぞれ上下方向に連設部を備えた複数の柱部とを交互に組立ててなる合成樹脂製組立式ラックにおいて、複数の柱間のうち少なくとも隣合う１組みの柱部間に補強部材を備えた組立式ラックが開示されている
登録実用新案第３０１２３３７号公報には、棚板の四隅に支柱部材を設けて棚板どうしを連結し、棚板間および支柱部材間に挿入される引き出しの側壁面を上広がりのテーパ状に形成し、支柱部材または棚板に、該テーパ状に沿う形状の膨出部を設けた組立式収納ケースが開示されている。
登録実用新案第３０１３１８６号公報には、正四角柱状の外形とした嵌合部を上下端に突設すると共に水平断面を略Ｈ形状とした支柱とを組み合わせてなる合成樹脂製組立て棚が開示されている。
【０００３】
【発明が解決しようとする課題】
商品陳列用途等に用いられる組立式棚にあっては、陳列する商品の種類に応じて多段に積み重ねた棚の正面を垂直にしたり、上段に向かうに従って正面が漸次後退するよう傾斜させることができるように、段毎に奥行きピッチを変えられる機能を有することが要望されているが、前述した従来技術による組立式棚は、段毎に奥行きピッチを変えられる機能は備わっていなかった。
【０００４】
本発明は前記事情に鑑みてなされたもので、多段に積み重ねた棚の正面を垂直にしたり、正面を傾斜させることができるように、段毎に奥行きピッチを変えられる機能を有する組立式棚の提供を目的とする。
【０００５】
【課題を解決するための手段】
前記目的を達成するために、本発明は、複数の支柱取付部を表裏に有する棚板と、該支柱取付部に端部を接合して着脱可能に取り付けられる複数の支柱とからなり、該棚板に該支柱の一端部を接合し、該支柱の他端部に次の棚板を接合して１段または多段に積み重ねて構成された組立式棚であって、前記棚板は、奥行き方向の２つの支柱取付部の間隔を表裏で同じとし、奥行き方向の中心線に対してそれらを非対称配列とし、且つ表裏の該支柱取付部が該棚板を裏返した時に同一となるよう配置したことを特徴とする組立式棚の提供を目的とする。
本発明の組立式棚において、前記棚板の表裏四隅に、前記支柱取付部として、棚板奥行き方向端からの形成位置が異なる第１の支柱取付凹部と第２の支柱取付凹部とが、該棚板の表側の四隅のうち手前側の２つが第１の支柱取付凹部となり、奥側の２つが第２の支柱取付凹部となり、該第１の支柱取付凹部の裏側が第２の支柱取付凹部および第２の支柱取付凹部の裏側が第１の支柱取付凹部となるように設けられ、前記支柱の両端に、該第１，第２の支柱取付凹部に嵌入される連結凸部が設けられ、該第１の支柱取付凹部と第２の支柱取付凹部との相対位置が、複数の棚板を手前上側に第１の支柱取付凹部と第２の支柱取付凹部とが交互に並ぶように該支柱を介して多段に積み重ねた際にその高さ方向が垂直となり、複数の棚板を手前上側に第１の支柱取付凹部が並ぶように該支柱を介して多段に積み重ねた際に、その高さ方向が傾斜するように配置した構成としてよい。
また本発明の組立式棚において、上下の棚板間の空間に引出を挿入配置した構成としてよい。
さらに本発明の組立式棚において、最下の棚板下面に複数のキャスターを取り付けた構成としてよい。
【０００６】
【発明の実施の形態】
以下、図面を参照して本発明の実施の形態を説明する。
図１〜３は本発明の組立式棚の一実施形態を示す図であり、図１は組立式棚の組立斜視図、図２は多段に組み立てた組立式棚の斜視図、図３は同側面図である。これらの図中符号１０は組立式棚であり、この組立式棚１０は、棚板奥行き方向端からの形成位置が異なる第１の支柱取付凹部１２Ａ（支柱取付部）と第２の支柱取付凹部１２Ｂ（支柱取付部）とのいずれかを表裏の四隅にそれぞれ有する棚板１１と、両端に第１，第２の支柱取付凹部１２Ａ，１２Ｂに着脱可能に取り付けられる連結凸部１４が設けられた複数の支柱１３とからなり、該棚板１１の四隅に支柱１３の一端部を接合し、該支柱１３の他端部に次の棚板１１を接合し、１段または多段に積み重ねた構成になっている。この棚板１１は、奥行き方向の２つの支柱取付凹部１２Ａ，１２Ｂの間隔を表裏で同じとし、奥行き方向の中心線に対してそれらを非対称配列とし、且つ表裏の該支柱取付凹部１２Ａ，１２Ｂが該棚板１１を裏返した時に同一の位置となるように配置されている。
【０００７】
前記棚板１１および支柱１３の材質は特に限定されず、各種の合成樹脂、金属、木材などを用いて製造できるが、軽量、安価であり、耐久性にも優れているなどの点から、合成樹脂で作製することが好ましい。棚板１１および支柱１３を作製するための合成樹脂としては、例えばポリエチレン系樹脂、ポリプロピレン系樹脂、ポリスチレン系樹脂、アクリル系樹脂、塩化ビニル系樹脂、ＡＢＳ樹脂、ポリエチレンテレフタレート系樹脂、ポリカーボネート系樹脂、ポリアミド系樹脂などを挙げることができる。なお、軽量化を図るため、ブロー成形法などを用いて一部を中空体として構成することもできる。
【０００８】
本実施形態において、棚板１１は、図１に示すように平面視長方形または正方形をなしている。棚板１１の表裏四隅に設けられた第１，第２の支柱取付凹部１２Ａ，１２Ｂは、それぞれ同じ長丸形状をなしており、第１の支柱取付凹部１２Ａは棚板１１の角から若干奥行き方向中央寄りに設けられ、第２の支柱取付凹部１２Ａは第１の支柱取付凹部１２Ａよりも奥行き方向端寄りに設けられている。棚板１１の表側では、四隅のうち手前側の２つが第１の支柱取付凹部１２Ａ、奥側の２つが第２の支柱取付凹部１２Ｂとなり、棚板１１の裏側では、手前側の２つが第２の支柱取付凹部１２Ｂとなり、奥側の２つが第１の支柱取付凹部１２Ａになっている。なお、この表裏の第１，第２の支柱取付凹部１２Ａ，１２Ｂの配置は逆であってもよい。
【０００９】
該第１の支柱取付凹部１２Ａと第２の支柱取付凹部１２Ｂとの形成位置は、複数の棚板１１を手前上側（図３（ａ）および（ｂ）において棚板の左側の上面）に第１の支柱取付凹部１２Ａと第２の支柱取付凹部１２Ｂとが交互に並ぶように該支柱１３を介して多段に積み重ねた際に（図２（ｂ）および図３（ｂ）参照）その高さ方向が垂直となり、複数の棚板１１を手前上側に第１の支柱取付凹部１２Ａが並ぶように該支柱１３を介して多段に積み重ねた際に（図２（ａ）および図３（ａ）参照）その高さ方向が傾斜するような位置関係が得られるように配置されている。
【００１０】
これらの第１、第２の支柱取付凹部１２Ａ，１２Ｂが形成された棚板両側部は、それ以外の板状部分よりも肉厚に形成され、表裏の第１，第２の支柱取付凹部１２Ａ，１２Ｂはそれぞれ該棚板両側部の厚みの半分の深さに形成されている（図３参照）。第１の支柱取付凹部１２Ａと第２の支柱取付凹部１２Ｂとの位置ずれ量は、多段に積み重ねる際に所望の傾斜度合が得られるように適宜設定できるが、通常、この位置ずれ量は組立式棚１０の大きさに応じて５ｍｍ〜１００ｍｍ程度の範囲で設定される。図２，３に示すように多数の棚板１１を支柱１３を介して多段に積み重ねる際に、棚板１１は全て同じ形状および大きさのものが用いられるが、棚板１１の表裏は外観上差が無いように形成してもよいし、表裏で色調や模様に違いを持たせる構成としても良い。
【００１１】
前記支柱１３は、本例示では横断面が長丸形または長方形をなしている扁平柱状に形成されている。この支柱の両端には、長丸形状の前記第１、第２の支柱取付凹部１２Ａ，１２Ｂに嵌合される連結凸部１４が設けられている。図２，３に示すように多数の棚板１１を支柱１３を介して組み立てて多段積みする際に、支柱１２は全て同じ形状および大きさのものが用いられる。
【００１２】
この組立式棚１０は、組立状態のものを製造、販売することもできるが、通常は棚板１１と支柱１３とを分解した状態で、適当な段数の棚を形成するために必要な枚数の棚板１１と支柱１３とを同梱したものを、使用者が購入して適宜組み立てるための組立キットの形態で製造、販売される。なお、該キット中には、後述する引出、最下の棚板１１下面に取り付けられるキャスターなどを含めることができる。
【００１３】
前記棚板１１と支柱１３を用い、組立式棚１０の組み立てを実施するには、図１に示すように、床などの平面に最下側となる棚板１１を表側（または裏側）を上向きにして置き、その四隅の第１，第２の支柱取付凹部１２Ａ，１２Ｂに支柱１３の一端側の結合凸部１４を嵌合し、これらの支柱１３を棚板１１の四隅に突き立てた状態とする。次に、第２の棚板１１を支柱１３上に載せ、該棚板１１の下面の支柱取付凹部１２Ａ，１２Ｂに支柱１３の他端側の連結凸部１４を嵌合する。これによって２枚の棚板１１が４本の支柱１３を介して接合された１段の組立式棚１０が作製される。同じ要領で、該第２の棚板１１の上に第３またはそれ以上の枚数の棚板１１を支柱１３を介して積み重ねることで、図２，図３に示すような多段の組立式棚１０が作製される。
【００１４】
本実施形態の組立式棚１０は、複数の棚板１１を手前上側（図３（ａ）および（ｂ）において棚板の左側の上面）に第１の支柱取付凹部１２Ａと第２の支柱取付凹部１２Ｂとが交互に並ぶように該支柱１３を介して多段に積み重ねた際に（図２（ｂ）および図３（ｂ）参照）その高さ方向が垂直となり、複数の棚板１１を手前上側に第１の支柱取付凹部１２Ａが並ぶように該支柱１３を介して多段に積み重ねた際に（図２（ａ）および図３（ａ）参照）、正面側が上方に向かうに従い奥行き方向に後退するように傾斜させることができる。また、適当な段のみを奥行き方向に後退させ、残りは垂直に並べることもできる。
【００１５】
本実施形態の組立式棚１０は、各段（上下棚板間）に図示しない引出を挿入した構成としてよい。この引出としては特に限定されず、陳列する商品などに応じて適宜変更してよく、例えば上下棚板間に挿入可能な高さを有する合成樹脂製の箱状の引出などが用いられる。また組立式棚１０または引出のいずれか一方または両方に、該引出のスライドを容易にするためのレール、ローラ等を設けてもよい。
さらに本実施形態の組立式棚１０は、最下の棚板１１の下面に、該組立式棚１０の搬送用のキャスターを取り付けてもよい。このようなキャスターを取り付けることで、組立式棚の移動が容易になる。このキャスターは、最下の棚板１１下面にある第１の支柱取付凹部１２Ａと第２の支柱取付凹部１２Ｂとに嵌合する連結凸部により、該棚板１１に取り付ける構成としてよい。
【００１６】
本実施形態の組立式棚１０は、複数の棚板１１と複数の支柱１３との２つの部材から構成され、安価に製造でき、組立が簡単である。また複数の棚板１１を支柱１３を介して多段に積み重ねる際に、正面を垂直にする形態と、商品を取り出し易くするため、上段に向かうに従って正面が漸次後退するよう傾斜させる形態とを適宜変更できるので、商品陳列形態を多様化でき、利用分野を広げることができる。
【００１７】
なお、前述した実施形態は本発明の例示に過ぎず、本発明はこの実施形態に限定されるものではなく、種々変更が可能である。例えば、前記実施形態では棚板に支柱取付凹部を設け、支柱の両端に該凹部に嵌合する連結凸部を設けたが、棚板側に凸部を設け、支柱側に凹部を設けた構成としてよい。
また棚板の形状は本例示に限定されることなく、三角形または五角形以上の多角形、円形、楕円形などとしてもよい。
さらに支柱と棚板との接合構造は、いずれか一方に雄ネジを設け、他方に雌ネジを設けてこれらを螺着嵌合するなどの他の接合構造を用いてもよい。
また棚板に多数の支柱取付凹部を連設し、多段積みにした際に傾斜角度を適宜選択可能とすることもできる。
【００１８】
【発明の効果】
本発明の組立式棚は、複数の棚板と複数の支柱との２つの部材から構成され、安価に製造でき、組立が簡単である。また複数の棚板を支柱を介して多段に積み重ねる際に、正面を垂直にする形態と、商品を取り出し易くするため、上段に向かうに従って正面が漸次後退するよう傾斜させる形態とを適宜変更できるので、商品陳列形態を多様化でき、利用分野を広げることができる。
【図面の簡単な説明】
【図１】本発明の組立式棚の一実施形態を示す組立斜視図である。
【図２】同じ組立式棚を多段に積み重ねた状態を示す斜視図である。
【図３】同じ組立式棚を多段に積み重ねた状態を示す側面図である。
【符号の説明】
１０　　組立式棚
１１　　棚板
１２Ａ　第１の支柱取付凹部（支柱取付部）
１２Ｂ　第２の支柱取付凹部（支柱取付部）
１３　　支柱
１４　　連結凸部
【図１】
2004081439.tif 000003
【図２】
2004081439.tif 000004
【図３】
2004081439.tif 000005